(57)【要約】【課題】発射装置が収容される空間領域内に弾球が残らないようにし、更には、その跳ね返りによる発射装置への悪影響をなくすようにした弾球遊技機を提供する。【解決手段】前面枠２の前面下部に、発射レール２３の発射部２４に位置するパチンコ球を打撃するための打球槌４９、駆動モータ５３等の発射部品を装着した発射装置２５が収容される空間領域Ｅが成形され、前記発射装置２５は前記空間領域Ｅにその前側から取り付けられるようにした弾球遊技機Ｐであって、前記空間領域Ｅの下部に、前記空間領域Ｅへ無用に飛入した弾球を弾球遊技機Ｐの外部へ排出するための球排出口２０を開設した構成からなる。【選択図】  図３
2004248838.tif 000002
【特許請求の範囲】
【請求項１】
前面枠の前面下部に、発射レールの発射部に位置するパチンコ球を打撃するための打球槌、駆動モータ等の発射部品を装着した発射装置が収容される空間領域が成形され、前記発射装置は前記空間領域にその前側から取り付けられるようにした弾球遊技機であって、
前記空間領域の下部に、前記空間領域へ無用に飛入した弾球を弾球遊技機の外部へ排出するための球排出口を開設したことを特徴とする弾球遊技機。
【請求項２】
前記球排出口内に、弾球が通過し得る間隔を隔てて補強用のリブを列設した請求項１記載の弾球遊技機。
【発明の詳細な説明】
【０００１】
【発明の属する技術分野】
本発明は、前面枠の前面下部に、発射レールの発射部に位置するパチンコ球を打撃するための打球槌、駆動モータ等の発射部品を装着した発射装置が収容される空間領域が成形され、前記発射装置は前記空間領域にその前側から取り付けられるようにした弾球遊技機に関するものである。
【０００２】
【従来の技術】
例えば、弾球遊技機の一種であるパチンコ遊技機には、方形枠状の機枠の前面に遊技盤を装着した前面枠が装着され、その前面に遊技盤の遊技部を覆う透明板保持枠、打球供給皿が装着された前面板、余剰球受皿が装着された下部板がそれぞれ一側で軸支され前側へ自在に開閉できる構成のものが有る。そして、前記前面枠の前面下部に、発射レールの発射部に位置するパチンコ球を打撃するための打球槌、駆動モータ等の発射部品を装着した発射装置が収容される空間領域が成形され、作業性の関係から前記発射装置を前記空間領域にその前側から取り付けるようにしている（例えば、特許文献１参照。）。
【０００３】
【特許文献１】
特開平９−７５５１２号公報（第６頁、図７）
【０００４】
【発明が解決しようとする課題】
しかしながら、前記発射装置が取り付けられる空間領域は、裏面、底面及び左右両側面が前面枠により囲われると共に前側は前面板により覆われることになる。よって、仮に、発射レールから連続して打ち出されるパチンコ球の内、ファール球として勢い良く戻ってくるパチンコ球があると、次の打ち出されるパチンコ球と勢い良く衝突して、いずれかが発射レールを乗り越え前記空間領域に飛入する場合がある。この空間領域に飛入したパチンコ球は、その空間領域の周囲が囲われることから、排出されることがなくその中に溜まることになり、これは好ましいことではない。また、パチンコ球が溜まっているときに、更に、パチンコ球が飛入して互いにぶつかり合い、いずれかのパチンコ球が跳ねて発射装置に当たりその発射装置に悪影響を与えるという危険性がある。
【０００５】
そこで、本発明は上記課題に鑑みてなされたもので、発射装置が収容される空間領域に無用に飛入した弾球をその下部に開設した球排出口から弾球遊技機の外部へ排出するようにして、前記空間領域内に弾球が溜まらないようにし、更には、その跳ね返りによる発射装置への悪影響をもなくすようにした弾球遊技機を提供することを目的とするものである。
【０００６】
【課題を解決するための手段】
かかる目的を達成するため、本発明の弾球遊技機は、前面枠の前面下部に、発射レールの発射部に位置するパチンコ球を打撃するための打球槌、駆動モータ等の発射部品を装着した発射装置が収容される空間領域が成形され、前記発射装置は前記空間領域にその前側から取り付けられるようにした弾球遊技機であって、前記空間領域の下部に、前記空間領域へ無用に飛入した弾球を弾球遊技機の外部へ排出するための球排出口を開設した構成からなる。
【０００７】
この際、前記球排出口は、空間領域の下部、すなわちその底面または側面に開設される。側面に開設される場合は、これに連なる底面がその球排出口に向かって下傾斜していることが望ましい。また、球排出口内に、弾球が通過し得る間隔を隔てて補強用のリブを列設するようにしても良い。
【０００８】
このように、発射装置が収容される空間領域の下部に球排出口を開設するようにしたので、空間領域内に飛入した弾球はすべて球排出口を介して弾球遊技機の外に排出され、空間領域内に溜まることがない。また、弾球が溜まることがないことから、弾球の跳ね返りによる発射装置への悪影響もなく、良好な発射動作が持続して行なえる。
【０００９】
【発明の実施の形態】
以下、本発明に係る弾球遊技機の実施の形態を図面に基づき説明する。なお、弾球遊技機には、例えばパチンコ遊技機、アレンジボールまたは雀球遊技機が挙げられるが、本発明にあっては、その一例としてパチンコ遊技機について説明する。
【００１０】
図１は本発明が適用されるパチンコ遊技機の正面図、図２は同透明板保持枠、前面板及び下部板を開いた状態の斜視図、図３は同透明板保持枠、前面板及び下部板を開くと共に発射レール及び発射装置を取外した状態の斜視図、図４は同側面断面図である。図において、１はパチンコ遊技機Ｐにおける木製の機枠であって、縦長方形枠状に形成されている。また、その前面に額縁状をなす合成樹脂製の前面枠２が、その一側上下部を前記機枠１の一側上下部に設けた軸支部３によって軸支され回動自在に装着される。この前面枠２の中央には窓口４が開設される。そして、前面枠２の裏面に遊技盤５が配置固定され、その前面の遊技部５ａが前記窓口４に臨むようになっている。前面枠２は金属製であっても良い。
【００１１】
前記前面枠２の前側に、遊技盤５前面の遊技部５ａを覆う２枚の透明板であるガラス板６を備えた透明板保持枠７、遊技盤５の下部を覆う前面板８、その下側に位置する下部板９が、いずれもそれら一側を軸支して回動自在に装着されている。これら透明板保持枠７、前面板８及び下部板９は前面枠２とほぼ同じ横幅を有している。前記前面板８の前面に、貯留される弾球であるパチンコ球を後記する発射部２４に供給するための打球供給皿１０が装着されている。また、下部板９の前面には、前記打球供給皿１０から溢れるパチンコ球を貯留する余剰球受皿１１が装着されている。１２は、下部板９の前面一側に設けられ、打ち出されるパチンコ球の打球力の強弱を調節する操作ハンドルである。
【００１２】
装着された前記遊技盤５の前面には、遊技部５ａを囲うように内側ガイドレール１３と外側ガイドレール１４とが渦巻き状に配設される。前記遊技部５ａには、ほぼ中央に表示部１５ａを備えた可変表示装置１５が配置され、また、その下方にパチンコ球の入賞により前記表示部１５ａの文字、数字、図形等の表示を変動表示させる始動入賞口１６が配置される。更に、その下方に位置して前記変動した表示が一定の時間経過後に停止して特定の表示（例えば「７７７」）を示し、遊技者にとって有利な特別遊技状態になったとき、一定の条件の下で開閉扉１７ａを所定回数開成させ一度に多くの入賞球が得られる入賞装置１７など所謂盤面部品が配設されている。
【００１３】
前記前面枠２の遊技盤５より下側は平坦面Ｌに成形され、その下部は一側を残して前方へ突出する膨出部２ａが成形されている。そして、膨出部２ａの上縁に樋状部２ｂが一体に設けられ、その上端にファール球排出口１８が設けられている。また、前記前面枠２の前面下部であってその一側には、後記する発射装置２５が収容される広さの空間領域Ｅが成形されている。この空間領域Ｅの後面に透孔１９が開設され、底面にはパチンコ球を通過させて排出するための球排出口２０が開設されている。
【００１４】
この球排出口２０は、平坦面Ｌと下部板９との間に亘り、空間領域Ｅの左右側一杯に広がって横長に成形されており、パチンコ遊技機Ｐの外部と連通している。球排出口２０内には、前側壁２０ａと後側に位置して透孔１９の間を仕切る仕切壁２０ｂとの間に、その短手方向に沿って上端縁を水平でかつ同じ高さとした複数のリブ２１がパチンコ球の通過を許す間隔を保持して等間隔に列設されている。また、図５に示すように各リブ２１間には、前側壁２０ａの裏側に上端縁が前記各リブ２１の上端縁よりも低くしかも後方へ下傾する案内板２２がそれぞれ各リブ２１と平行に張設されている。
【００１５】
前記平坦面Ｌの前面にファール球排出口１８を介して外側ガイドレール１４と連なる発射レール２３が配置され、前記空間領域Ｅに発射レール２３の発射部２４に供給されたパチンコ球を発射させるための発射装置２５が収容される。一方、前面板８は、空間を隔てて前側板８ａと後側板８ｂとが平行に配置され、その空間内に前記打球供給皿１０からのパチンコ球を一個ずつ発射部２４へ供給する球送り装置２６が配置されている。なお、前記ファール球排出口１８は余剰球受皿１１に連通しており、発射されるも遊技部５ａに打ち込まれずに戻ってこのファール球排出口１８に落下したファール球を余剰球受皿１１に導くようにしている。
【００１６】
球送り装置２６は、図６に示すように前面板８の後側板８ｂの前面に取り付けられる取付板２７の前側であって、その中央上部に打球供給皿１０に貯留されるパチンコ球を順次受け入れる流入口２８が開設されると共にその内側に球送樋２９が設けられている。この球送樋２９の底面に球抜口３０が開設されており、この球抜口３０は常には摺動板３１によって塞がれている。そして、その流下端に球送樋２９の最先端のパチンコ球を一個ずつ受け入れ、該パチンコ球を取付板２７に開設された流出口３２から前記発射レール２３の発射部２４に供給する球送り部材３３が配置されている。なお、球送り装置２６の前面は開放されているが、この面は図４に示すように同じ大きさの蓋板３４により塞がれる。
【００１７】
球送り部材３３は、一側上部で軸３５により軸支され、他側には球送樋２９からのパチンコ球を一個受け入れる球受部３６が設けられている。また、球送り部材３３の上方にはこれに近接させてソレノイド３７が配置され、ソレノイド３７の励磁・消磁に伴い球送り部材３３上面の金属板３８が吸引されて該球送り部材３３が上下に揺動するようになっている。そして、ソレノイド３７が消磁して球送り部材３３が下動しているときは、球送樋２９内の最先のパチンコ球Ｂ１は球受部３６の上部に突設された球止片３９に止められて停止している。この状態で、ソレノイド３７が励磁して球送り部材３３が上動したときは、そのパチンコ球Ｂ１を球受部３６に受け入れる。この際、流出口３２が球送り部材３３によって狭められる関係上、前記パチンコ球Ｂ１が流出口３２から排出されることはない。また、このとき第二のパチンコ球Ｂ２は球受部３６の底壁３６ａの先端部に当接して停止している。次に、ソレノイド３７が消磁すると、球送り部材３３が下動し、これに伴い流出口３２が広がり、そこから前記パチンコ球Ｂ１が発射部２４へ排出されることになる。同時に、続く第二のパチンコ球Ｂ２が今度は前記球止片３９で一旦受け止められる。以後、同様な動作を繰り返すことによって、パチンコ球を一個ずつ発射部２４へ供給するようになっている。
【００１８】
前記球抜口３０の下側にこれと連通する玉抜樋４０が設けられ、その流下端に排出口４１が設けられる。この排出口４１は前記後側板８ｂに開設された球送口８ｃと連通し、更に、この球送口８ｃが前面枠２下部の膨出部２ａ前面に開設され余剰球受皿１１に連なる球入口４２と連通している。そこで、球抜きされたパチンコ球は、球抜樋４０、排出口４１、球送口８ｃ等を介して余剰球受皿１１に貯留される。また、前記球抜口３０を塞ぐ摺動板３１は、前記打球供給皿１０の一側上面に突出された球抜きボタン４３と連係して連動するようになっており、常に球抜口３０を塞ぐように付勢される。そして、図示は省略するが、前記球抜きボタン４３を押動することにより、摺動板３１が前方へスライドして球抜口３０を開放するようになっている。そこで、例えば、遊技者が遊技を終了して打球供給皿１０に残ったパチンコ球を抜く場合、前記球抜きボタン４３を押すことにより球抜口３０が開放し、打球供給皿１０のパチンコ球は余剰球受皿１１に貯留される。
【００１９】
前記発射レール２３は、取付板４４の前面にレール本体４５と該レール本体４５の発射部２４にパチンコ球を位置決めする支持部材４６とを設けて構成され、前面枠２の平坦面Ｌにおける所定位置に螺子４７で螺子止めすることにより取り付けられる。一方、発射装置２５には、後記する打球槌４９等の発射部品が装着される。すなわち、図７乃至図９に示すように取付板４８の前面に先端が前記発射レール２３の発射部２４に臨み、その発射部２４に位置するパチンコ球をレール本体４５に沿って打ち出すための打球槌４９が回動自在に軸装されている。５０は、前記打球槌４９の回動角度を規制するストッパ部材である。また、前記取付板４８の前面に、前記操作ハンドル１２のハンドル軸５１が挿通される軸筒部５２が設けられる。一方、取付板４８の裏面には、図８、図９に示すように前記打球槌４９を往復回動させるための駆動モータ５３と、打球槌４９にバネ弾発力を付与するバネ枠体５４が設けられる。
【００２０】
駆動モータ５３のモータ軸５３ａは前方に突出しており、その先端部に回動手段としてのカム片５５が取着されている。前記バネ枠体５４は、前記打球槌４９の槌軸４９ａと一体に設けられかつ取付板４８の後方へ突出する槌軸４９ａの前後端側に配置される前・後側環状枠部５６ａ，５６ｂと、これら前・後側環状枠部５６ａ，５６ｂ間に介在し、先端部が前側環状枠部５６ａに止着され、また後端部が後側環状枠部５６ｂに止着されるコイルバネ５７と、から大略構成される。
【００２１】
前側環状枠部５６ａは、槌軸４９ａとは別個に該槌軸４９ａを中心として回動でき、その外周縁に円弧状の歯部５８が設けられている。そして、その歯部５８の一側面が取付板４８の後面の所定位置に突出した位置決め杆５９に当接し、それ以上回動できないようになっている。これにより、前側環状枠部５６ａは、設定した前記初期位置でのコイルバネ５７の弾発力を保持でき、そのコイルバネ５７の弾発力が弱まる方向へは無用に回動しないようになっている。一方、後側環状枠部５６ｂは、前記槌軸４９ａの後端部に固着されており、槌軸４９ａと一体に回動する。また、この後側環状枠５６ｂの一側に腕片６０が放射状に突設され、その先端部に駆動モータ５３の駆動により回転するカム片５５が間歇的に当接する回動手段としてのピン６１が突設されている。
【００２２】
前記取付板４８の裏面下部には、複数の案内枠６２によりガイドされ、前記取付板４８の裏面に沿って水平方向へ自在に移動するラック６３が配設されている。一方、前記軸筒部５２内に、前記操作ハンドル１２のハンドル軸５１の後端部が挿通され、該ハンドル軸５１と一体に回動する回転筒６４が嵌合されている。このため、前記ハンドル軸５１は断面Ｄカットに処理されており、回転筒６４の内周面もほぼ同じ形状の断面Ｄ型に成形されている。そして、この回転筒６４の後端にピニオン６５が設けられ、該ピニオン６５が前記ラック６３の歯部６３ａの一端側に噛合している。また、歯部６３ａの他端側には、前記前側環状枠部５６ａに設けられた歯部５８が中間歯車６６を介して噛合している。発射装置２５は、駆動モータ５３を後側に位置させたまま前面枠２の空間領域Ｅに前側からあてがい、駆動モータ５３、前・後側環状枠部５６ａ，５６ｂを共に透孔１９に挿通した状態で、取付板４８の螺子挿通孔６７を介して前面枠２における平坦面Ｌの所定位置に設けられた螺子孔６８に螺子６９を螺合することにより取り付けられる。
【００２３】
このように発射レール２３と共に発射装置２５を前面枠２の前側から取り付けるようにしたので、取付作業が簡略化され作業が簡単になる。また、前記発射レール２３と発射装置２５とが、同一平面上に取り付けられることになるので、発射レール２３に対する打球槌４９の位置調整などが容易かつ正確に行なえ、引いては、球飛び状態の調整が簡単となって、球飛び状態も安定する。
【００２４】
コイルバネ５７に捩り力が付与されている場合、前記打球槌４９は、コイルバネ５７の弾発力により発射部２４側へ回動付勢されるが、打撃位置ではストッパ部材５０により停止される。また、その反作用として、前記前側環状枠部５６ａがその反対方向へ回動しようとするが、位置決め杆５９により所定位置で停止されている。前記操作ハンドル１２は、所謂タッチ式のものであり、遊技者が操作ハンドル１２を手で握ることにより前記駆動モータ５３が駆動する。これに伴い、カム片５５が回動してピン６１に間歇的に当接して係合し、打球槌４９を打撃位置から打撃準備位置まで回動させてその後係合を解く。その後は、打球槌４９がコイルバネ５７の弾発力により打撃位置まで回動復帰させられる。そして、打球槌４９先端の打球杆４９ｂによりレール本体４５の発射部２４に位置するパチンコ球を打球して発射させる。
【００２５】
このようにして、打球槌４９を打撃位置と打撃準備位置との間で往復回動させることによりパチンコ球を発射させることになる。また、打球力を調整するには、前記操作ハンドル１２を回動させることにより、ラック６３が移動して前記前側環状枠部５６ａが回動し、コイルバネ５７が弾発力に抗して更に捩じられ、その弾発力が増すようになっている。
【００２６】
前記発射装置２５の取付板４８前面の所定位置に、打球槌４９が発射準備位置にあるとき、これを電気的に検出する槌検出器７０が設けられている。この槌検出器７０は、図７に示すように投光部７０ａと受光部７０ｂを対向して配置したＵ字状に成形され、一方、取付板４８前面の所定位置には、前記槌検出器７０の一側が嵌合する支持凹部７１が設けられている。そして、槌検出器７０の一側を支持凹部７１に嵌合し、この状態でその前側からカバー体７２を嵌合し、カバー体７２に突設された取付片７３に開設された螺子挿通孔７４を介して取付板４８に設けられた螺子孔７５に螺子７６を螺子締する。これにより、投光部７０ａと受光部７０ｂと間に打球槌４９が介入し得るようにして槌検出器７０が取り付けられる。
【００２７】
この槌検出器７０での検出信号は、図示しない制御装置に送られ、この制御装置により前記球送り装置２６におけるソレノイド３７の励磁・消磁とのタイミングが制御されるようになっている。すなわち、ソレノイド３７が消磁することにより球送り部材３３が作動してパチンコ球が発射部２４に一個ずつ供給されることから、励磁から消磁に変える時点が打球槌４９を打撃位置から打撃準備位置に移動するときと同じになるように設定される。このように、電気信号で前記タイミングを採るようにしたので、その制御が非常に容易に行なえる。
【００２８】
打球供給皿１０にパチンコ球を入れた状態では、ソレノイド３７が消磁しており球送り部材３３が下がっている。そして、その最先のパチンコ球は球送り部材３３の球止片３９前面に当接して停止している。この状態で、操作ハンドル１２を手で握ると通電し、更に操作ハンドル１２を回動させると、ピニオン６５が回動してラック６３が図８鎖線の方向へ移動する。これに伴い、中間歯車６６を介し前側環状枠部５６ａが回転してコイルバネ５７の捩り力が増大する。同時に、駆動モータ５３が駆動してカム片５５が回転しピン６１に間歇的に係合する。これに伴い、打球槌４９が打撃位置から打撃準備位置との間を往復回動する。
【００２９】
そして、打球槌４９が発射準備位置にあるとき槌検出器７０により検出され、その信号が制御装置に送られる。これにより、ソレノイド３７が励磁され、球送り部材３３が吸引されて上動し球受部３６に最先のパチンコ球を受け入れる。次に、所定時間経過後、すなわち、打球槌４９が打撃位置から打撃準備位置へ移動するとき、ソレノイド３７が消磁して球受部３６のパチンコ球を流出口３２から発射部２４へ排出する。最後に、発射部２４に位置したパチンコ球を打球槌４９が打撃することになる。よって、最初の打球槌の往復回動時には、発射部２４にパチンコ球はなく所謂空打ちになる。
【００３０】
本発明は上記構成からなり、発射装置２５が収容される空間領域Ｅの底面に球排出口２０を開設するようにしたので、遊技中に空間領域Ｅ内にパチンコ球が誤って飛入したとしても、図４に示されるようにそのパチンコ球Ｂ３は球排出口２０を介してパチンコ遊技機Ｐの外部に排出され、空間領域Ｅ内に溜まることがない。しかも、内部でパチンコ球同士がぶつかり合うこともないから、跳ねて発射装置２５の槌検出器７０等の打球部品に当たるなどして発射装置２５に悪影響を与えるといったこともなくなる。
【００３１】
球排出口２０における複数のリブ２１は、その球排出口２０の回りの強度が強ければ必要なく、弱い場合に効果を発揮する。また、前記球排出口２０を底面に設けるようにしたが、他に側面に開設するようにしても良い。この場合は、これに連なる底面がその球排出口２０に向かって下傾斜していることが望ましい。
【００３２】
【発明の効果】
以上説明したように本発明は、発射装置が収容される空間領域の下部に無用に飛入した弾球を底面に開設した球排出口から弾球遊技機の外部へ排出するようにしたので、前記空間領域内に弾球が溜まることがなく、更には、飛入したパチンコ球の跳ね返りによる発射装置への悪影響もなくすことができるという効果がる。
【００３３】
また、球排出口内に弾球が通過し得る間隔を隔てて補強用のリブを列設するようにしたので、球排出口の周囲が強度的に強くなり、例えば輸送時などにその周囲が他のものに衝突して破損するといった事態も減少される。
【図面の簡単な説明】
【図１】本発明が適用されるパチンコ遊技機の正面図。
【図２】同透明板保持枠、前面板及び下部板を開いた状態の斜視図。
【図３】同透明板保持枠、前面板及び下部板を開くと共に発射レール及び発射装置を取外した状態の斜視図。
【図４】同側面断面図。
【図５】前面枠の空間領域を裏側から見た斜視図。
【図６】球送り装置の正面図。
【図７】発射装置の分解斜視図。
【図８】発射装置の裏面図。
【図９】同側面図。
【符号の説明】
２                  前面枠
２０                球排出口
２１                リブ
２３                発射レール
２４                発射部
２５                発射装置
４９                打球槌
５３                駆動モータ
Ｅ                  空間領域
Ｐ                  弾球遊技機（パチンコ遊技機）
【図１】
2004248838.tif 000003
【図２】
2004248838.tif 000004
【図３】
2004248838.tif 000005
【図４】
2004248838.tif 000006
【図５】
2004248838.tif 000007
【図６】
2004248838.tif 000008
【図７】
2004248838.tif 000009
【図８】
2004248838.tif 000010
【図９】
2004248838.tif 000011